(57)【要約】【課題】本発明は、一般の掃除機を携帯するのに使用可能な汎用性を前提に、不使用時にできるかぎりコンパクトに収納することができ、装着時に手間がかからず、なおかつ装着安定性のある掃除機装着帯及び掃除機装着帯を装備した掃除機を提供することを課題とする。【解決手段】本発明におけるハンモック状の掃除機支持部分１は身体への装着の際に掃除機を包み込む形で掃除機を覆い、掃除機の自重や掃除機の形状そのものから発生する張力を直接ストラップ部分２を経て身体で支える構造により掃除機を身体へと安定装着することを特徴とし、あらかじめ掃除機を装着具に装着する手間を省くとともにコンパクトに収納することを可能とした。【選択図】図１
2005304752.tif 000002
【特許請求の範囲】
【請求項１】
ハンモック状の掃除機支持部分を含む幅広の帯によりさまざまな形状の掃除機を簡便に身体へと装着でき、使用時以外はコンパクトに収納できることを特徴とする掃除機装着帯。
【請求項２】
請求項１記載の掃除機装着帯において、製品の一部あるいは全部に「掃除機による排気を逃がすのに適した素材」を使用し、掃除機のホースを通す開口部を設け電源コードを通すための開口部を適宜さらに設けたハンモック状の掃除機支持部分と、掃除機支持部分と一体化した帯状のストラップ部からなる一枚の帯をあらかじめ輪状につなげた構造を持ち、掃除機を身体に装着する際に掃除機の自重等により自ずと様々な形状の掃除機を汎用的に包み込む状態でフィットすることから前もって掃除機を装着帯自体に装着・安定させることを不要とする構造を特徴とし、たすき状に使用して身体側面に吊り下げる使用法、たすき状に使用した上で掃除機吸引ホースを上部斜め又は下部斜め方向に指向させた形で背負う使用法、身体の一方の側面のみで肩から吊り下げる使用法、身体胴部に巻きつけての使用法のいずれか、あるいは全ての使用法を可能とした掃除機装着帯。
【請求項３】
請求項１記載の掃除機装着帯において、ハンモック状の掃除機支持部分を含む幅広の帯があらかじめ輪状につながれておらず、身体への装着時に「結ぶ」あるいは「接続具の使用」により任意の長さの輪状とする構造を持つことを特徴とし、掃除機と装着帯との装着における安定性及び身体と装着帯との装着における安定性を増した掃除機装着帯。
【請求項４】
請求項１記載の掃除機装着帯において、「長さの調節機能を加える」あるいは「伸縮性のある素材を使用する」ことによって、掃除機と装着帯との装着における安定性及び身体と装着帯との装着における安定性を増した掃除機装着帯。
【請求項５】
電気掃除機に請求項１乃至４の掃除機装着帯を装備することで身体への装着を可能とした掃除機、あるいはさらに掃除機装着帯の収納部を設けた掃除機。
【発明の詳細な説明】
【技術分野】
【０００１】
この発明は、掃除機を身体に装着する装置及び身体装着式掃除機に関する。
【背景技術】
【０００２】
掃除機の使用において現在最も一般的な形である「車輪付の掃除機本体を引き回して掃除する」という作業は掃除機の使用者にとって多大な肉体的負担を伴うものであるとともに、床を引き回す際に発生する騒音も加え精神的疲労にも影響を与えるものである。とくに家庭内で家事にあたる者にとっては、段差のある場所または高所での作業もしくは各室にわたる掃除などは、掃除が日常的な作業であるがゆえに負担の積み重ねとなっているのが現状である。掃除機の引き回しを避けるためのひとつの方法として「掃除機を身体に装着する」という着眼点は従来より存在し、技術思想として昇華させる上で、ショルダーベルトを掃除機本体に金具等で装着する方法やリュックサック状の背負い具を使用する方法により解決されてきた。
【特許文献１】特開２００２−３２０５７４号公報
【特許文献２】特開２００１−１８７０００号公報
【特許文献３】特開２００１−１６９９７４号公報
【特許文献４】特開平１０−１２７５４０号公報
【特許文献５】特開平０６−０８６７３９号公報
【特許文献６】特開平０３−１４０１３０号公報
【特許文献７】特開平０２−１１６３２７号公報
【特許文献８】実登３０７５６５８号公報
【特許文献９】実登３０７５０５９号公報
【特許文献１０】実登３０２８９３５号公報
【特許文献１１】実開平０５−０９５４４４号公報
【特許文献１２】実開平０４−１２５８５０号公報
【特許文献１３】実開平０２−１３８６５８号公報
【特許文献１４】実開平０１−１３５０６０号公報
【特許文献１５】実開平０１−０９９３４２号公報
【特許文献１６】実開昭６０−０１８７４２号公報
【特許文献１７】実開昭５４−１２９１８２号公報
【特許文献１８】実公昭４７−０３５２９９号公報
【特許文献１９】実公昭４７−０２６５１６号公報
【特許文献２０】実公昭４７−０１２６９１号公報
【特許文献２１】実公昭４６−０２４８４５号公報
【特許文献２２】実公昭４５−０１９１７７号公報
【特許文献２３】実登３０７９６６２号公報
【発明の開示】
【発明が解決しようとする課題】
【０００３】
しかしながら以上の技術においては、まず、ショルダーベルトを装着する方法においては、金具等の止め具を装備しているなどあらかじめ掃除機本体がベルトを装着することを前提として設計されている必要があるため汎用性がなかった。また、背負い具を使う方式においても、これまでの技術では掃除機を身体に装着する際に前もって装着具自体に掃除機を装着しておく手順が発生し、掃除機を装着具に装着するための装置と装着具を身体に装着するための装置が必要となることから装置自体が大掛かりなものとなり、使用時以外の収納場所を勘案した場合に「普段いったいどこに置いておくのか。」という問題点も存在し、一般的な掃除機の重量が新生児程度にまで軽量化されている現在でもなお、掃除機装着具は普及するに至っていない。これは掃除機を装着するという行為が大袈裟なものでないことを消費者にアピールする上で、装置の構成や形状に改善すべき課題があったことを意味する。
【０００４】
また、なんといっても前述の装着具自体に掃除機を装着しておく手順そのものが毎日の家事に供する製品としては家庭内で家事にあたる者に手間を強いるものであり手順の簡素化が望まれる。さらに過去の技術においては装着方法が「背負う」または「肩に掛ける」もしくは「腰に巻く」のいずれかに限定されており、作業時間や作業量に応じてその都度ユーザーが装着方法を選択することは困難であった。とくに「背負う」方式の多くが掃除機を直立させるため、一般の形状の掃除機では「常に首の真後ろにホースが来るために使用者が感じるわずらわしさ」を否めないものであった。これらは掃除機装着具がもつ装着方法に関する課題である。
【０００５】
金具・フック等よりショルダーベルトを掃除機に装着する方法においては、ベルトや金具・フック等の形状または配置により安定感が得られない可能性も大きかった。
【０００６】
そこで、この発明は、一般の掃除機を携帯するのに使用可能な汎用性を前提に、不使用時にできるかぎりコンパクトに収納することができ、装着時に手間がかからず、なおかつ装着安定性のある掃除機装着帯及び掃除機装着帯を装備した掃除機を提供することを課題とする。
【課題を解決するための手段】
【０００７】
本発明はハンモック状の掃除機支持部分と身体装着のためのストラップ部分からなる構造を有し、掃除機支持部分は身体への装着の際に掃除機を包み込むような形で掃除機を覆い、掃除機の自重や掃除機の形状そのものから発生する張力を直接ストラップ部分を経て身体で支える構造により掃除機を身体へと安定装着することを特徴とし、さまざまな形状の掃除機を身体に装着できる汎用性を実現した。ここでいう「ハンモック状」とは決して網状の素材だけを意味するものではなく、要は「排気を逃がす構造を持ち、かつ、掃除機を支持する広い布状の部分」であればよく、他に排気を逃がす構造を備えるならば網状とする必要はない。また、「掃除機を袋に入れて、その袋をベルト等で身体に装着する」といった思想に立脚するのではなく、「帯または布によって、直接に掃除機を身体へと装着する」という思想に立脚し無駄を省いたシンプルな構造は、「身体への装着具の装着」と「装着具への掃除機の装着」をひとつの行為として済ますことによって「あらかじめ装着具に掃除機を装着する」という手間を省き簡便な装着を実現するとともに、容易に折りたたみコンパクトに収納することを可能とした。
【０００８】
また、本発明は請求項１の一形態として請求項２で示した掃除機装着帯を提供するが、これは前述したハンモック状の掃除機支持部分と身体装着のためのストラップ部分からなる装着帯をあらかじめ輪状につなげた構造を有し、身体と掃除機をひとつの輪で包む手段によって「身体への装着具の装着」と「装着具への掃除機の装着」をひとつの行為とし、装着方法上の手間を省力化する課題を解決する。掃除機支持部分は「掃除機による排気を逃がすのに適した素材」を使用し、掃除機のホースを通す開口部を設ける。なお、「掃除機による排気を逃がすのに適した素材」とは、ネット状やレース状の網目をもつなど排気を逃がす素材であればよく、網目の目合いに電源コードを通す幅がない場合には電源コード用の開口部を適宜設ける。この掃除機装着帯においては使用者は、たすき状に使用して身体側面に吊り下げる使用法、たすき状に使用した上で掃除機吸引ホースを上部斜め又は下部斜め方向に指向させた形で背負う使用法、身体の一方の側面のみで肩から吊り下げる使用法などを選択することが可能で、とくにたすき状に使用した上で掃除機吸引ホースを上部斜め又は下部斜め方向に指向させた形で背負う使用法においては、従来の直立させて背負う方法と違って使用者の首の後方に掃除機のホース部が位置しないので、使用者が高所を掃除する際などに上方を見上げても後頭部とホースが接触せず、使用上のわずらわしさを軽減することができる。
【０００９】
請求項１で示した掃除機装着帯においては、掃除機を包み込むハンモック状の掃除機支持部分に掃除機の自重等から発生する張力により掃除機の装着安定性を実現するが、請求項３では請求項１で示した掃除機装着帯においてあらかじめ輪状につないでおかず身体への装着時に「結ぶ」あるいは「接続具の使用」により装着安定性をさらに高め、請求項４では請求項１で示した掃除機装着帯において「長さの調節機能を加える」あるいは「伸縮性のある素材を使用する」ことによって装着安定性を高めている。
【００１０】
本発明における掃除機装着帯を装備した掃除機は、掃除機に請求項１乃至４の掃除機装着帯を装備することで身体への装着を可能とする構造を有し、「コンパクトに収納できる」という掃除機装着帯の特徴を生かし、身体に装着して使用しないときに付属の収納部分に掃除機装着帯を収納することを可能としている。
【発明の効果】
【００１１】
本発明はハンモック状の掃除機支持部分と身体装着のためのストラップ部分からなる構造を有し、掃除機支持部分は身体への装着の際に掃除機を包み込むような形で掃除機を覆い、掃除機の自重や掃除機の形状そのものから発生する張力を直接ストラップ部分を経て身体で支える構造により掃除機を身体へと安定装着することを特徴としているので、掃除機を装着具に安定装着するのにベルトで縛ったりすることなく、さまざまな形状の掃除機を身体に装着できる汎用性を実現している。また、「掃除機を袋に入れて、その袋をベルト等で身体に装着する」といった思想に立脚するのではなく、「帯または布によって、直接に掃除機を身体へと装着する」という思想に立脚し無駄を省いたシンプルな構造は、「身体への装着具の装着」と「装着具への掃除機の装着」をひとつの行為として済ますことによって「あらかじめ装着具に掃除機を装着する」という手間を省き簡便な装着を実現するとともに、容易に折りたたみコンパクトに収納することを可能とする効果を実現した。
【００１２】
請求項２の掃除機装着帯においては、身体と掃除機をひとつの輪で包む手段によって「身体への装着具の装着」と「装着具への掃除機の装着」をひとつの行為とし、装着方法上の手間を省力化した。また、この掃除機装着帯においては使用者は、たすき状に使用して身体側面に吊り下げる使用法、たすき状に使用した上で掃除機吸引ホースを上部斜め又は下部斜め方向に指向させた形で背負う使用法、身体の一方の側面のみで肩から吊り下げる使用法など、特に使用法を限定せずに選択することが可能であり、とくにたすき状に使用した上で掃除機吸引ホースを上部斜め又は下部斜め方向に指向させた形で背負う使用法においては、従来の直立させて背負う方法と違って使用者の首の後方に掃除機のホース部が位置しないので、使用者が高所を掃除する際などに上方を見上げても後頭部とホースが接触せず、使用上のわずらわしさを軽減する効果を発揮している。
【００１３】
請求項３では請求項１で示した掃除機装着帯においてあらかじめ輪状につないでおかず身体への装着時に「結ぶ」あるいは「接続具の使用」により輪状とする構造から装着安定性をさらに高める効果を発揮している。請求項４では請求項１で示した掃除機装着帯において「長さの調節機能を加える」あるいは「伸縮性のある素材を使用する」ことによって装着安定性を高める効果を発揮している。
【００１４】
本発明における掃除機装着帯を装備した掃除機は、掃除機に請求項１乃至４の掃除機装着帯を装備することで身体への装着を可能とする構造を有し、「コンパクトに収納できる」という掃除機装着帯の特徴を生かし、身体に装着して使用しないときに付属の掃除機装着帯収納部に掃除機装着帯を収納することを可能とし、掃除機装着帯の不使用時に収納場所に悩むことなく、また、使用時は手軽に取り出せる効果を発揮している。
【発明を実施するための最良の形態】
【００１５】
以下、本発明の実施の形態を図面に基づいて説明する。なお、これらによって本発明が限定されるものではない。
【００１６】
図１は本発明の一形態である請求項２で示した掃除機装着帯の正面図であり、図２は背面図である。図３は図１、図２の中で（Ｘ）−（Ｘ’）で示した矢視側面断面図である。掃除機装着帯はハンモック状の掃除機支持部分１と身体装着のためのストラップ部分２からなり、図３の側面断面図から明白なようにあらかじめ輪状につながれている。掃除機を身体に装着する際には、掃除機をハンモック状の掃除機支持部分１に横たえ輪の中に任意の身体の部位をくぐらせて使用する。掃除機の自重や掃除機の形状そのものから生ずる張力によって、掃除機は自ずと掃除機支持部分１に包まれ、掃除機支持部分１と一体化したストラップ部分２によって身体に安定装着される。掃除機支持部分には、掃除機吸い込みホース用開口部３を設け、掃除機の吸い込みホースを通して使用する。掃除機支持部分の素材が目合いの大きいネット状の場合には、掃除機の電源コードはネットの目を通して使用すればよく、掃除機電源コード用開口部４は不要となるが、掃除機支持部分がレース状の素材や電源コードを通す余裕のない目合いの小さいネット状の素材である場合には適宜、掃除機電源コード用開口部４を設ける。
【００１７】
図４、図５、図６は、請求項２で示した掃除機装着帯の実施例としての使用状態図である。図４は掃除機装着帯をたすき状に装着し掃除機を身体側部に吊り下げた使用状態である。図５は同じく掃除機装着帯をたすき状に装着した上で、掃除機を身体後方に斜めに巻きつけた使用状態である。図６は一方の肩から掃除機を身体側部に吊り下げた使用状態である。掃除機装着帯の使用はこれらの使用状態に限定されず、将来的に掃除機が小型・軽量化した際には、上肢や下肢に巻きつけての装着などが使用状態として挙げられる。また、掃除機装着帯に平行して掃除機を装着するだけでなく、掃除機吸い込みホース用開口部３の配置によっては掃除機を掃除機装着帯へと垂直その他交差した角度での装着もありうる。
【００１８】
図７は、請求項３で示した掃除機装着帯の実施例の展開図である。請求項３で示した掃除機装着帯においては、掃除機装着帯はあらかじめ輪状につながれておらず、身体への装着時にストラップ部分２の先端である接続部９と接続部１０を接続し、任意の長さの輪状とする。接続部の形状や接続の方法は限定されず、種々の金具やマジックテープを使用しても良いし、紐状に仕上げその都度結ぶ方式でも良い。
【００１９】
本発明の根幹となる「ハンモック状の掃除機支持部をもつ帯または布によって身体に直接、装着する」という思想は請求項１に創作されるが、実施においてはその思想を逸脱しないことを前提とした範囲でさまざまな形態を生むことは当然の帰結であり、図８は請求項１の実施形態の一部を示したものである。図８（ａ）は掃除機装着帯をあらかじめ輪状につないだものであるが掃除機支持部に網状の素材を使用せずハンモック部分を短くすることで掃除機支持部の前後に掃除機吸い込みホースを通すスペースと排気を逃がすスペースを設けたものである。図８（ｂ）は掃除機装着帯をあらかじめ輪状につながずストラップ部分を複数設けたものである。また、請求項４にあるように「伸縮性のある素材」を使用し図８（ｃ）に示したようなサポーター状の一本の輪として身体胴部や上肢・下肢に巻きつける実施形態も存在する。
【００２０】
本発明においては上述の掃除機装着帯を装備した掃除機も提供するが、その実施形態の一例として、掃除機装着帯のすぐれたコンパクト収納性を生かし、掃除機装着帯を装備した掃除機の一部に掃除機装着帯の収納部を設ける。図９はその実施例であるが、ここでは掃除機装着帯の収納部に掃除機装着帯収納室蓋部８を付け掃除機装着帯収納室７としている。収納部の他の実施形態として、蓋を付けず掃除機装着帯収納ポケットとしてもよい。
【図面の簡単な説明】
【００２１】
【図１】請求項２における掃除機装着帯の正面図
【図２】請求項２における掃除機装着帯の裏面図
【図３】請求項２における掃除機装着帯の側面断面図
【図４】請求項２における掃除機装着帯の使用状態図
【図５】請求項２における掃除機装着帯の他の使用状態図
【図６】請求項２における掃除機装着帯の他の使用状態図
【図７】請求項３における掃除機装着帯の展開図
【図８（ａ）】掃除機装着帯の他の実施形態図
【図８（ｂ）】掃除機装着帯の他の実施形態図
【図８（ｃ）】掃除機装着帯の他の実施形態図
【図９】請求項５における、掃除機装着帯を装備した掃除機付属の掃除機装着帯収納部外観図
【符号の説明】
【００２２】
１  掃除機支持部分
２  ストラップ部分
３  掃除機吸い込みホース用開口部
４  掃除機電源コード用開口部
５  掃除機吸い込みホース
６  掃除機電源コード
７  掃除機装着帯収納室
８  掃除機装着帯収納室蓋部
９  接続部
１０  接続部
【図１】
2005304752.tif 000003
【図２】
2005304752.tif 000004
【図３】
2005304752.tif 000005
【図４】
2005304752.tif 000006
【図５】
2005304752.tif 000007
【図６】
2005304752.tif 000008
【図７】
2005304752.tif 000009
【図８（ａ）】
2005304752.tif 000010
【図８（ｂ）】
2005304752.tif 000011
【図８（ｃ）】
2005304752.tif 000012
【図９】
2005304752.tif 000013